(57)【要約】【課題】  従来に比べ、より簡便に浴槽水Ｗを洗濯機２で利用し得、浴槽水Ｗの利用（節水）を促進し得る浴槽水利用装置を提供する。【解決手段】  浴槽水Ｗの取出口４と、洗濯機設置場所付近に設けられる給水口５と、前記取出口４から給水口５に浴槽水Ｗを導くために床下や壁内に常設される配管６と、浴槽水Ｗを吸い込んで給水口５に供給するためのポンプ７とを備え、給水口５からホース９を介して浴槽水Ｗを洗濯機２に供給する。配管６の取り出しは、例えば、追い焚き機能を有する給湯機３から浴槽１への追い焚き配管３ｂより分岐する方法で行い、浴槽水１を吸い込んで給水口５に供給するためのポンプ７として、追い焚き機能を有する給湯機３の循環ポンプ２ｅを利用する。【選択図】  図１
2006105453.tif 000002
【特許請求の範囲】
【請求項１】
浴槽水の取出口と、洗濯機設置場所付近に設けられる給水口と、前記取出口から給水口に浴槽水を導くために床下や壁内に常設される配管と、浴槽水を吸い込んで給水口に供給するためのポンプとを備えたことを特徴とする浴槽水利用装置。
【請求項２】
前記配管の取り出しは、追い焚き機能を有する給湯機から浴槽への追い焚き配管より分岐する方法で行う請求項１に記載の浴槽水利用装置。
【請求項３】
前記給水口が、ポンプ付き洗濯機に内蔵された給水ポンプの吸込口に接続された外部ホース接続口と外部ホースで接続される請求項１に記載の浴槽水利用装置。
【請求項４】
前記ポンプが、前記配管の途中に組み込まれる請求項１に記載の浴槽水利用装置。
【請求項５】
前記配管の取り出しは、浴槽底面の排水口に接続される排水管より分岐する方法で行うと共に、排水管の管壁に開口される前記取出口より下流側に排水口を塞ぐ栓の嵌込部が設けられる請求項１、請求項３、請求項４のいずれかに記載の浴槽水利用装置。
【発明の詳細な説明】
【技術分野】
【０００１】
本発明は、浴槽水（風呂の残り湯）を洗濯機で利用するための浴槽水利用装置に関する。
【背景技術】
【０００２】
一般家庭においては、浴室に隣接して洗面脱衣室が設けられ、その洗面脱衣室に洗濯機が設置される場合が多い。また、節水等の目的で浴槽水が洗濯機で利用されている。このような浴槽水の有効利用は、人が浴室と洗面脱衣室を何往復もしながら浴槽水をバケツ等を用いて洗濯機まで運ぶという重労働の給水作業で実現されていたが、近年では、ポンプを用いて浴槽水を汲み上げて洗濯機に給水することで実現されており、このための風呂水吸水装置や給水ポンプ付き洗濯機が知られている。
【０００３】
上記風呂水吸水装置は、一端に吸水口を有し、他端に吐出口を有する電動の吸水ポンプと、吸水ポンプの吐出口に一端が接続された給水ホースとで構成されており、吸水ポンプを浴槽水に漬け、給水ホースの他端を洗濯機の給水口に接続することにより、吸水ポンプによって浴槽水を給水ホースを介して洗濯機に供給することができる（例えば、「特許文献１」参照）。他方、給水ポンプ付き洗濯機は、吸込口が外部ホース接続口に接続され、吐出口が洗濯槽への注水口に接続された状態で、給水ポンプが洗濯機に内蔵されており、外部ホースの一端を洗濯機の外部ホース接続口に接続し、その他端を浴槽水に漬けることにより、給水ポンプによって浴槽水を外部ホースを介して洗濯機に供給することができる（例えば、「特許文献２」参照。）。
【特許文献１】特開平９−１００８１１号公報
【特許文献２】特開平７−２８９４８４号公報
【発明の開示】
【発明が解決しようとする課題】
【０００４】
上記風呂水吸水装置や給水ポンプ付き洗濯機では、いずれにしても、洗濯（浴槽水を洗濯機の洗濯水として利用する洗濯）を行う都度、浴槽までポンプやホースを漬けに行き、洗濯終了後にはそれを片付ける必要がある。また片付けの際にはポンプやホースの外面に付着した水や内部に残っている水が滴り床面を濡らす。さらにホース長は普通５ｍ程度と長く保管時に嵩張るばかりかその出し入れが煩わしい。このようなことから、浴槽水を洗濯機で利用することに煩わしさを感じ、その結果、浴槽水が洗濯機で利用されなくなってしまうという問題があった。
【０００５】
本発明は上記のような事情に鑑みてなされたもので、その目的は、従来に比べ、より簡便に浴槽水を洗濯機で利用し得、浴槽水の利用（節水）を促進し得る浴槽水利用装置を提供することにある。
【課題を解決するための手段】
【０００６】
上記目的を達成するための請求項１に記載の本発明に係る浴槽水利用装置は、浴槽水の取出口と、洗濯機設置場所付近に設けられる給水口と、前記取出口から給水口に浴槽水を導くために床下や壁内に常設される配管と、浴槽水を吸い込んで給水口に供給するためのポンプとを備えたことを特徴とする。
【０００７】
上記構成の浴槽水利用装置によれば、浴槽水は、前記ポンプを作動させることによって吸い込まれ、床下や壁内に常設された前記配管に導かれて洗濯機設置場所付近に設けられた給水口に供給され、この給水口からホースを介して洗濯機に供給することができる。このように、ポンプを作動させるだけで、浴槽水を洗濯機に供給することができるため、従来洗濯（浴槽水を洗濯機の洗濯水として利用する洗濯）を行う都度必要であった、浴槽までポンプやホースを漬けに行き、洗濯終了後にはそれを片付けるという手間が省け、片付けの際にポンプやホースの外面に付着した水や内部に残っている水が滴り床面を濡らすといった不具合やホースが保管時に嵩張るばかりかその出し入れが煩わしいといった問題が悉く解決され、従来に比べ、より簡便に浴槽水を洗濯機で利用できるようになる。
【０００８】
また、請求項２に記載の本発明に係る浴槽水利用装置は、上記請求項１に記載の本発明に係る浴槽水利用装置に、前記配管の取り出しは、追い焚き機能を有する給湯機から浴槽への追い焚き配管より分岐して行う点が付加されたものである。これにより、浴槽水を吸い込んで給水口に供給するためのポンプとして、追い焚き機能を有する給湯機の循環ポンプを利用することができる。このため、給水専用のポンプが不要となり、装置構造の簡潔化及びコストダウンを図ることができる。
【０００９】
また、請求項３に記載の本発明に係る浴槽水利用装置は、上記請求項１に記載の本発明に係る浴槽水利用装置に、前記給水口が、ポンプ付き洗濯機に内蔵された給水ポンプの吸込口に接続されている外部ホース接続口と外部ホースで接続される点が付加されたものである。これにより、浴槽水を吸い込んで給水口に供給するためのポンプとして、ポンプ付き洗濯機に内蔵された給水ポンプを利用することができる。このため、給水専用のポンプが不要となり、装置構造の簡潔化及びコストダウンを図ることができる。
【００１０】
また、請求項４に記載の本発明に係る浴槽水利用装置は、上記請求項１に記載の本発明に係る浴槽水利用装置に、前記ポンプが、前記配管の途中に組み込まれる点が付加されたものである。これにより、あらゆる設置環境に対応して設置することができ、汎用性に優れる。
【００１１】
請求項５に記載の本発明に係る浴槽水利用装置は、上記請求項１、請求項３、請求項４のいずれかに記載の本発明に係る浴槽水利用装置に、前記配管の取り出しは、浴槽底面の排水口に接続される排水管より分岐する方法で行うと共に、排水管の管壁に開口される前記取出口より下流側に排水口を塞ぐ栓の嵌込部が設けられる点が付加されたものである。これにより、浴槽水が浴槽底面の排水口から取り出されて洗濯機に供給される。このため、浴槽水の略全量を有効に利用することができる。
【発明の効果】
【００１２】
以上のように本発明に係る浴槽水利用装置は、従来に比べ、より簡便に浴槽水を洗濯機で利用できるため、浴槽水の利用を促進することができる。
【発明を実施するための最良の形態】
【００１３】
以下、本発明の実施形態を図面に基づいて説明する。図１は本発明の第１の実施形態に係る浴槽水利用装置Ａの構成を示す図である。
【００１４】
図１において、１は浴槽、２は洗濯機、３は給湯機（熱源機）を示す。浴槽１は、底面に排水口１ａを有すると共に、側面に追い焚き口１ｂ及び戻し口１ｃと、これら追い焚き口１ｂ及び戻し口１ｃから後述する追い炊き配管３ｂに髪の毛等の異物か流入するのを防止するストレーナ１ｄとを有し、浴室に設置されている。洗濯機２は、洗濯槽（図示せず）への注水口（図示せず）に接続される外部ホース接続口２ａを有し、前記浴室に隣接して設けられた洗面脱衣室に設置されている。給湯機３は、給水配管（図示せず）から取り入れた水を加熱し、給湯配管（図示せず）に温度制御された湯を連続して供給する。また、追い焚き用の熱交換器３ａの一端が追い焚き配管（循環回路）３ｂの往き管３ｃによって前記浴槽１の追い焚き口１ｂに接続され、前記熱交換器３ａの他端が前記追い焚き配管３ｂの戻り管３ｄによって前記浴槽１の戻り口１ｃに接続され、前記往き管３ｃの途中に強制循環用の循環ポンプ３ｅが組み込まれており、前記追い焚き配管３ｂによって浴槽１に湯を供給する湯はり機能と循環ポンプ３ｅによって前記浴槽１の湯を循環しながら加熱して追い焚き（再加熱）する機能を有している。
【００１５】
浴槽水利用装置Ａは、浴槽水Ｗ（浴槽１内の残り湯）の取出口４と、洗濯機２設置場所付近に設けられる給水口５（ホース接続口）と、前記取出口４から給水口５に浴槽水Ｗを導くために床下や壁内に常設される配管６と、浴槽水Ｗを吸い込んで給水口５に供給するためのポンプ７とを備えるもので、本実施形態では、前記配管６の取り出しは、追い焚き機能を有する前記給湯機３から浴槽１への追い焚き配管３ｂより分岐する方法で行っている。即ち、前記追い焚き配管３ｂの戻り管３ｄの途中に三方弁８を介して取出口４（前記配管６の接続口）を設け、その取出口４に前記配管６の一端を接続し、前記給湯機３の循環ポンプ３ｅを前記浴槽水利用装置Ａのポンプ７として利用するように構成している。
【００１６】
また、前記給水口５は、本実施形態において洗濯機２設置場所付近となる洗面脱衣室の床面や壁面の適所に設けられ、この給水口５が外部ホース９によって前記洗濯機２の外部ホース接続口２ａと常時接続されている。前記取出口４から給水口５までの配管３としては、浴室及び洗面脱衣室の床下や壁内に通す樹脂管（例えば、ポリブデン管・ポリエチレン管・塩ビ管等）や金属管（例えば、鉄管・銅管・ステンレス管）が用いられている。
【００１７】
而して、前記浴槽水利用装置Ａでは、浴槽水Ｗは、給湯器３の循環ポンプ３ｅ（７）を作動させることによって、浴槽１の追い焚き口１ｂから給湯器３の追い焚き配管３ｂへと吸い込まれる。この追い焚き配管３ｂに吸い込まれた浴槽水Ｗが、前記三方弁８の切換えによって、前記取出口４から配管６に取り出されて給水口５へと供給され、この給水口５から洗濯機２の外部ホース９及びこの接続口２ａを介して注水口から洗濯槽（図示せず）に供給され、洗濯機２の洗濯水として利用される。このように、ポンプ３ｅ（７）を作動させるだけで、浴槽水Ｗを洗濯機２に供給することができるため、従来では洗濯（浴槽水Ｗを洗濯機２の洗濯水として利用する洗濯）を行う都度必要であった、浴槽１までポンプやホースを漬けに行き、洗濯終了後にはそれを片付けるという手間が省け、片付けの際にポンプやホースの外面に付着した水や内部に残っている水が滴り洗面脱衣室等の床面を濡らすといった不具合やホースが保管時に嵩張るばかりかその出し入れが煩わしいといった問題が悉く解決され、従来に比べ、より簡便に浴槽水Ｗを洗濯機２で利用できるようになり、浴槽水Ｗの利用を促進することができる。また、浴槽水Ｗを吸い込んで給水口５から洗濯機２に供給するためのポンプ７として、追い焚き機能を有する給湯機３の循環ポンプ３ｅを利用できるため、給水専用のポンプが不要となり、装置構造の簡潔化及びコストダウンを図ることができる。
【００１８】
次に、図２は本発明の第２の実施形態に係る浴槽水利用装置Ｂの構成を示す図である。なお、上記第１の実施形態と同一部位には同一符号を付してその説明を省略する。
【００１９】
本実施形態における浴槽水利用装置Ｂは、浴槽水Ｗの供給対象となる洗濯機が、ポンプ付き洗濯機２０であり、この洗濯機２０に内蔵された給水ポンプ２０ａを当該装置Ｂのポンプ７として利用すると共に、浴槽１の排水口１ａを利用して配管６を取り出す点で、上記浴槽水利用装置Ａと相違している。
【００２０】
前記ポンプ付き洗濯機２０では、これに内蔵された給水ポンプ２０ａの吸込管２０ｂに前記外部ホース接続口２ａが接続され、前記給水ポンプ２０ａの吐出管２０ｃが洗濯槽への注水口と接続されている。
【００２１】
また、図４に浴槽１の排水口１ａを利用して配管６を取り出す一例を示している。即ち、配管６の取り出しは、浴槽１底面の排水口１ａに接続される排水管１０から分岐する方法で行うもので、前記排水管１０における排水口１ａとの接続端部の管壁に取出口４を設け、この取出口４に配管６の一端を接続すると共に、前記取出口４より下流側に前記排水口１ａを塞ぐ栓１１の嵌込部１２が設けられている。前記排水口１ａにはストレーナ１３が設けられ、配管６に髪の毛等の異物か流入するのを防止している。
【００２２】
而して、前記浴槽水利用装置Ｂでは、浴槽水Ｗは、洗濯機２０の給水ポンプ２０ａを作動させることによって、給水ポンプ２０ａの吸込管２０ｂ、外部ホース接続口２ａ、外部ホース９、前記浴槽水利用装置Ｂの給水口５、配管６、取出口４を介して、浴槽１底面の排水口１ａから吸い込まれ、給水ポンプ２０ａの吐出管２０ｃ、注水口を介して洗濯槽に供給され、洗濯機２の洗濯水として利用される。このため、浴槽水利用装置Ｂでも前記浴槽水利用装置Ａと同様に浴槽水Ｗの利用を促進することができる。また浴槽水Ｗを吸い込んで給水口５から洗濯機２０に供給するためのポンプ７として、ポンプ付き洗濯機２０に内蔵された給水ポンプ２０ａを利用できるため、給水専用のポンプが不要となり、装置構造の簡潔化及びコストダウンを図ることができる。さらに、浴槽水Ｗが浴槽１底面の排水口１ａから取り出されて洗濯機２に供給されため、浴槽水Ｗの略全量を有効に利用することができる。
【００２３】
次に、図３は本発明の第３の実施形態に係る浴槽水利用装置Ｃの構成を示す図である。なお、上記第１や第２の実施形態と同一部位には同一符号を付してその説明を省略する。
【００２４】
本実施形態における浴槽水利用装置Ｃは、浴槽１の排水口１ａを利用して取り出す前記配管６の途中に給水ポンプ１４が組み込まれている点で、上記浴槽水利用装置ＡやＢと相違している。
【００２５】
而して、前記浴槽水利用装置Ｃでは、浴槽水Ｗは、前記配管６の途中に組み込まれた給水ポンプ１４を作動させることによって、浴槽１の排水口１ａから取出口４を介して配管６へと吸い込まれる。この配管６に吸い込まれた浴槽水Ｗが、給水口５に供給され、この給水口５から洗濯機２の外部ホース９及びこの接続口２ａ、注水口を介して洗濯槽に供給され、洗濯機２の洗濯水として利用される。このため、浴槽水利用装置Ｃでも前記浴槽水利用装置ＡやＢと同様に浴槽水Ｗの利用を促進することができる。また、浴槽水Ｗが浴槽１底面の排水口１ａから取り出されて洗濯機２に供給されため、浴槽水Ｗの略全量を有効に利用することができる。さらに、あらゆる設置環境に対応して設置することができて汎用性に優れる。
【００２６】
上記第２及び第３の実施形態においては、図４に示すように、前記浴槽１の底面に前記排出口１ａとは別に、配管６を取出すための専用の取水口１５を設け、この取水口１５のに配管６の一端を接続して、浴槽水Ｗを浴槽１底面の取水口１５から取り出だようにしてもよい。図４において、１６は取水口１５を塞ぐ栓、１７は配管６に髪の毛等の異物か流入するのを防止するストレーナである。
【図面の簡単な説明】
【００２７】
【図１】本発明の第１の実施形態を示す浴槽水利用装置Ａの構成図である。
【図２】本発明の第２の実施形態を示す浴槽水利用装置Ｂの構成図である。
【図３】本発明の第３の実施形態を示す浴槽水利用装置Ｃの構成図である。
【図４】浴槽の排水口を利用して配管を取り出す方法を示す図である。
【図５】浴槽に専用の取出口を設けて配管を取り出す方法を示す図である。
【符号の説明】
【００２８】
１  浴槽
１ａ  排水口
１ｂ  追い焚き口
１ｃ  戻り口
２  洗濯機
２ａ  外部ホース接続口
３  給湯器
３ａ  追い焚き配管
３ｅ  循環ポンプ
４  取出口
５  給水口
６  配管
７  ポンプ
９  外部ホース
１０  排水管
１１  栓
１２  嵌込部
１４  給水ポンプ
２０  ポンプ付き洗濯機
２０ａ  給水ポンプ
Ｗ  浴槽水
【図１】
2006105453.tif 000003
【図２】
2006105453.tif 000004
【図３】
2006105453.tif 000005
【図４】
2006105453.tif 000006
【図５】
2006105453.tif 000007